(57)【要約】【課題】  樹木の生長を妨げたり樹皮を傷つけたりせずに長期間にわたり使用でき、樹木の成長状況も観察することができる樹木用名板を提供する。【解決手段】  樹木の幹の外周形状に沿って撓むことが可能な可撓性を有するとともに、撓んだ後に適度に復元する弾性力を有する薄板状に形成され、かつ左右両側近傍にそれぞれ２本の縦スリット孔が並列に形成された名板本体２と、樹木の幹の外周形状に沿って巻回しうる可撓性を有し、長尺帯状に形成された一端を前記名板本体の２本の縦スリット孔のうち内側の縦スリット孔２ａに当該名板本体の裏面を通るように挿通し、他端を外側の縦スリット孔２ｂに前記名板本体の裏面を通るように挿通して、前記縦スリット孔との間に適度な摩擦力を生じさせる帯状ベルト３とから構成されている。【選択図】  図１
0003126855.tif 000002
【実用新案登録請求の範囲】
【請求項１】
樹木の幹に巻かれて樹木名を表示するための樹木用名板であって、
樹木の幹の外周形状に沿って撓むことが可能な可撓性を有するとともに、撓んだ後に適度に復元する弾性力を有する薄板状に形成され、かつ左右両側近傍にそれぞれ２本の縦スリット孔が並列に形成された名板本体と、
樹木の幹の外周形状に沿って巻回しうる可撓性を有し、長尺帯状に形成された一端を前記名板本体の２本の縦スリット孔のうち内側の縦スリット孔に当該名板本体の裏面を通るように挿通し、他端を外側の縦スリット孔に前記名板本体の裏面を通るように挿通して、前記縦スリット孔との間に適度な摩擦力を生じさせる帯状ベルトと
から構成されていることを特徴とする樹木用名板。
【請求項２】
請求項１において、前記名板本体および前記帯状ベルトは、防錆処理された材料で構成されているとともに、前記帯状ベルトの長手方向には３．１４ｃｍピッチの罫書き線からなる生長目盛が形成されていることを特徴とする樹木用名板。
【請求項３】
請求項１または請求項２において、帯状ベルトは樹木の幹に２周巻かれる長さに形成されていることを特徴とする樹木用名板。
【考案の詳細な説明】
【技術分野】
【０００１】
本考案は、樹木名や樹種等が記載された名板に関し、特に樹木の幹に巻かれて使用される樹木用名板に関するものである。
【背景技術】
【０００２】
従来、植物園や公園の散策道に植えられた樹木等にはその樹木名や樹種等が記載された名板がワイヤ等により結びつけられていたり、看板として傍に立てられている。このような樹木用名板は、樹木の名前や樹木に関する簡単な情報を得ることに利用されている。しかし、名札を針金やワイヤ等の線材によって樹木の幹に結び付けると、樹木が生長して名札を結び付けた幹が太くなったときに線材が樹木の幹に食い込んでその樹木を損傷し、その生長を妨げてしまう。
【０００３】
このような場合には、樹木の幹に食い込んだ針金等の線材を切断して名札を付け替えなければならず煩わしい。また、線材が樹木の幹に深く食い込んでいる場合もあり、切断作業によって樹木を傷つけてしまうこともある。
【０００４】
このような問題に対し、従来、名板本体と、この名札本体に中間部を取り付けられ外周面が摩擦部材によって形成された可撓性を有する線材と、この線材の両端部が両端開口部から挿通されこの挿通された線材の両端部の外周面が摩擦を有する内周面に接触するとともに線材の両端部同士が接触する状態で線材の両端部を保持するチューブ部材とから構成される樹木用名板が提案されている（特許文献１）。
【０００５】
そして、特許文献１では、線材の外周部を形成する合成樹脂と合成樹脂性のチューブの内壁面との摩擦、および線材の両端部の合成樹脂同士の摩擦によって線材の両端部が互いに係止されている。そして、その線材に作用する引張り力が所定値以上の場合には、この線材の両端部がそれぞれ上記各摩擦力に打ち勝って、チューブに対してチューブから引き出される方向に滑り、これによって線材によって形成される輪の径が広がるようになっている。
【０００６】
【特許文献１】特開平９年−１７１３５１号公報
【考案の開示】
【考案が解決しようとする課題】
【０００７】
しかしながら、特許文献１に記載された考案においては、線材同士あるいは線材とチューブとの摩擦面が円周面の一部であるため、所定の摩擦値に調整し保持することが難しく、永年使用するうちに劣化して機能しなくなるおそれがある。
【０００８】
また、樹木の幹の太さに応じて広がるようにできたとしても、従来の阻害要因を取り除けるに過ぎず、その樹木の生長度合いを観察できる等の特別な効果を奏することはできない。
【０００９】
本考案は、このような問題点を解決するためになされたものであって、樹木の生長を妨げたり樹皮を傷つけたりせずに長期間にわたり使用でき、樹木の成長状況も観察することができる樹木用名板を提供することを目的としている。
【課題を解決するための手段】
【００１０】
本考案に係る樹木用名板の特徴は、樹木の幹に巻かれて樹木名を表示するための樹木用名板であって、樹木の幹の外周形状に沿って撓むことが可能な可撓性を有するとともに、撓んだ後に適度に復元する弾性力を有する薄板状に形成され、かつ左右両側近傍にそれぞれ２本の縦スリット孔が並列に形成された名板本体と、樹木の幹の外周形状に沿って巻回しうる可撓性を有し、長尺帯状に形成された一端を前記名板本体の２本の縦スリット孔のうち内側の縦スリット孔に当該名板本体の裏面を通るように挿通し、他端を外側の縦スリット孔に前記名板本体の裏面を通るように挿通して、前記縦スリット孔との間に適度な摩擦力を生じさせる帯状ベルトとから構成されている点にある。
【００１１】
また、本考案において、前記名板本体および前記帯状ベルトは、防錆処理された材料で構成されているとともに、前記帯状ベルトの長手方向には３．１４ｃｍピッチの罫書き線からなる生長目盛が形成されていることが好ましい。
【００１２】
さらに、本考案において、帯状ベルトは樹木の幹に２周巻かれる長さに形成されていることが適切である。
【考案の効果】
【００１３】
本考案によれば、樹木の生長を妨げたり樹皮を傷つけたりせずに長期間にわたり使用でき、樹木の成長状況も観察することができる。
【考案を実施するための最良の形態】
【００１４】
以下、本考案に係る樹木用名板の実施形態について図面を用いて説明する。本実施形態の樹木用名板１は、樹木名や樹種が記載された名板本体２と、この名板本体２を樹木の幹に巻き付けるとともに樹木の生長を観察しうる帯状ベルト３とから構成されている。
【００１５】
各構成についてより詳細に説明すると、名板本体２および帯状ベルト３は、いずれも錆びたり劣化しにくいステンレス鋼を使用しており、雨や雪に強い耐環境性を備えた素材により構成されている。
【００１６】
また、名板本体２は、適度に湾曲された薄板矩形状に形成されており、樹木の幹の外周形状に沿って撓むことが可能な可撓性を有するとともに、撓んだ後に適度に復元する弾性力を有する。これにより樹木の幹に取り付けやすく、多少いびつな幹であっても幹の外周に沿って密着させられる。
【００１７】
また、図１および図２に示すように、名板本体２には、両側近傍に左右対称な２本の縦スリット孔２ａ，２ｂが並列に形成されている。これらの縦スリット孔２ａ，２ｂは、帯状ベルト３を挿通しうる寸法に形成されている。
【００１８】
帯状ベルト３は、樹木の幹の外周形状に沿って巻回しうる可撓性を有し、長尺帯状に形成されている。帯状ベルト３の一端は、前記名板本体２の２本の縦スリット孔２ａ，２ｂのうち内側の縦スリット孔２ａに当該名板本体の裏面を通るように挿通され、他端は外側の縦スリット孔２ｂに前記名板本体２の裏面を通るように挿通される。これにより、帯状ベルト３と縦スリット孔２ａ，２ｂとの間に適度な摩擦力を生じさせる。
【００１９】
また、帯状ベルト３には、図３に示すように、長手方向に３．１４ｃｍピッチの生長目盛３ａがレーザーの罫書き線により形成されている。これにより樹木の幹が直径１ｃｍ太くなると、帯状ベルト３がゆるんで成長目盛３ａが一目盛りずれるため、その樹木の生長度合いの目安になる。
【００２０】
さらに、帯状ベルト３は、板厚が０．５ｍｍ、幅が２０ｍｍに形成されているため、簡単にてで幹に巻き付けなじませることができる。また、帯状ベルト３の長さは基本的に樹木の幹に２周巻かれる程度に形成されている。
【００２１】
つぎに、本実施形態の樹木用名板１の作用効果について説明する。
【００２２】
本実施形態の樹木用名板１を樹木に巻き付ける場合、まず、名板本体２の２本の縦スリット孔２ａ，２ｂのうち、内側の縦スリット孔２ａに帯状ベルト３を通す。この場合、帯状ベルト３の一端を一方の縦スリット孔２ａの表側から挿入して裏側を通し、もう一方の縦スリット孔２ａの裏側から表側へ通す。
【００２３】
つぎに、帯状ベルト３を樹木に１周巻いてから外側の縦スリット孔２ｂに挿通する。この場合、帯状ベルト３を一方の縦スリット孔２ｂの表側から挿入して裏側を通し、先に挿通している帯状ベルト３よりも内側を通して、もう一方の外側の縦スリット孔２ｂに挿通する。
【００２４】
その後、樹木の幹に帯状ベルト３をよく締め付けてから名板本体２を幹の外周形状に馴染ませるように湾曲させる。なお、名板本体２は、片手でも湾曲させられて帯状ベルト３に沿って簡単に移動できるので名板本体２の位置決めや締め付けが簡単にできる。
【００２５】
以上のような本実施形態によれば、
１．樹木の生長を妨げたり樹皮を傷つけたりせずに長期間にわたり使用できる。
２．帯状ベルト３に３．１４ｃｍピッチの生長目盛３ａがレーザーで罫書いてあるため消えにくく、樹木の生長が観察しやすい。
３．樹木の生長とともに帯状バンド３がゆるんでいくため樹皮に食い込まない。
４．取り付けに釘や工具が不要であって巻き付け作業が簡単である。
５．風雨や風雪に強い
などの効果を奏することができる。
【００２６】
なお、本考案に係る樹木用名板１は、前述した実施例に限定されるものではなく、適宜変更することができる。たとえば、本実施形態の樹木用名板１はステンレス鋼を使用しているが、防錆効果や耐環境性があり、適度な可撓性を有する素材であれば適宜変更してもよい。
【図面の簡単な説明】
【００２７】
【図１】本考案に係る樹木用名板の実施形態を示す模式図である。
【図２】本実施形態の名板本体を示す平面図である。
【図３】本実施形態の帯状ベルトを示す平面図である。
【符号の説明】
【００２８】
１  樹木用名板
２  名板本体
２ａ  内側の縦スリット孔
２ｂ  外側の縦スリット孔
３  帯状ベルト
３ａ  生長目盛
【図１】
0003126855.tif 000003
【図２】
0003126855.tif 000004
【図３】
0003126855.tif 000005